(57)【特許請求の範囲】
【請求項１】
係止フック（２８）を用いた係止手段（２５）を有する連結素子（２４）と、燃料を供給するバルブ排出口（２３）とを有する手持ち式打ち込み装置の燃料容器であって、
前記連結素子（２４）は、前記燃料容器（２０）を前記打ち込み装置（１０）の収容部（１６）内に連結するためのものであり、
前記係止手段（２５）は、前記燃料容器（２０）を前記打ち込み装置（１０）の前記収容部（１６）内に固定するためのものであり、
前記バルブ排出口（２３）に対向する側の端部領域（２９）に、前記係止手段（２５）を有する前記連結素子（２４）が設けられており、
前記係止手段（２５）を変位させるために操作される制御素子（２６）が、前記燃料容器（２０）の前記バルブ排出口（２３）に対向する側の端部領域（２９）に設置されていることを特徴とする打ち込み装置の燃料容器。
【請求項２】
請求項１に記載の燃料容器において、前記係止手段（２５）をキータブとして形成して、その基部（２７）を前記連結素子（２４）に連結し、前記基部（２７）に対向する側の端部に前記係止フック（２８）を形成し、前記制御素子（２６）を、前記キータブの基部（２７）と前記係止フック（２８）との間に備えることを特徴とする燃料容器。
【請求項３】
請求項１又は２に記載の燃料容器において、前記連結素子（２４）が、燃料容器収容部（１６）の内の燃料容器（２０）の少なくとも１つの第１の回転防止手段を備えることを特徴とする燃料容器。
【請求項４】
請求項１〜３のいずれか１項に記載の燃料容器において、前記燃料容器（２０）の回転防止手段が少なくとも１つのスロット状の凹部（４１、４２）を備え、前記連結素子（２４）が燃料容器（２０）の長手方向（Ｌ１）に延在するように配置されることを特徴とする燃料容器。
【請求項５】
請求項１〜４のいずれか１項に記載の燃料容器において、前記連結素子（２４）を、打ち込み装置（１０）の前記燃料容器収容部（１６）を密封するための密封手段として形成することを特徴とする燃料容器。
【請求項６】
請求項１〜５のいずれか１項に記載の燃料容器のための、燃焼力作動型手持ち式打ち込み装置（１０）の燃料容器収容部であって、
端部に配置され、前記燃料容器（２０）を該収容部（１６）内へ挿入するための開口部（１９）と、
前記開口部（１９）に対向する端部に配置された、前記燃料容器（２０）のバルブ排出口のための連結素子（１４）と、
前記開口部（１９）近傍の前記収容部（１６）の端部領域（３９）に配置され、前記燃料容器（２０）の前記係止手段（２５）によって係止され得るように構成された被係止手段（３５）と、
を備えたことを特徴とする燃料容器収容部。
【請求項７】
請求項６に記載の燃料容器収容部において、前記被係止手段（３５）は、前記燃料容器（２０）を第１の係止位置に取り外しが可能なように固定するための第１の被係止素子（３６）として形成することを特徴とする燃料容器収容部。
【請求項８】
請求項６又は７に記載の燃料容器収容部において、前記被係止手段（３５）は、前記燃料容器（２０）を第２の係止位置に取り外しが可能なように固定するための第２の被係止素子（３６）として形成することを特徴とする燃料容器収容部。
【請求項９】
請求項６〜８のいずれか１項に記載の燃料容器収容部において、前記燃料容器収容部（１６）は、前記燃料容器（２０）の少なくとも１つの第２の回転防止手段を備えることを特徴とする燃料容器収容部。
【請求項１０】
請求項６〜９のいずれか１項に記載の燃料容器収容部において、前記燃料容器（２０）の第２の回転防止手段は、前記燃料容器収容部（１６）の長手方向（Ｌ２）に延在する少なくとも１つのリッジ状の凸部（４４，４５）を備えることを特徴とする燃料容器収容部。
【発明の詳細な説明】
【技術分野】
【０００１】
本発明は、請求項１の前段に記載された燃焼力作動型打ち込み装置及び独立項の前段に記載された燃料容器に関する。このような打ち込み装置は、液状あるいはガス状の燃焼ガスによって作動させることができる。
【背景技術】
【０００２】
米国特許第６５２３８６０号明細書（特許文献１）には、ハウジング内に配置された燃料用の計量バルブ及び燃料を収容する燃料容器の収容部を備えた打ち込み装置が記載されている。この燃料容器のバルブヘッドには連結素子として機能するアダプタが取付け可能であり、前記アダプタは、収容部周囲に備えられた留め具と連結して取り外し可能に燃料容器を収容部に固定し、燃料と計量バルブの連通状態を保つ。
【特許文献１】米国特許第６５２３８６０号明細書
【発明の開示】
【発明が解決しようとする課題】
【０００３】
しかし、上述の打ち込み装置には、収容部から燃料容器を１回の操作で取り外すことができないという問題点があった。
【０００４】
本発明の課題は、上述したような打ち込み装置の燃料容器を改良し、上記の問題点を解消し、操作性を改善した打ち込み装置を提供することにある。
【課題を解決するための手段】
【０００５】
この課題は、請求項１〜７の特徴部に記載された手段によって解決することができる。
【０００６】
すなわち、燃料容器のバルブ排出口に対向する側の端部領域に、係止手段を有する連結素子を設けて、係止手段が、燃料容器収容部からの取り出し側となる燃料容器端部に位置するようにすることで、ユーザーが片手で簡単に燃料容器収容部から燃料容器を取り外すことを可能にしている。係止手段をゆるめた後に、持ち手をかえる必要はもはやない。さらに、燃料容器を燃料容器収容部に差し込んだ際、燃料容器の端部すなわち端部領域が係止手段によって支持され、バルブ排出口の上方に、流体すなわち燃料と連通する燃料容器収容部の連結素子が位置することとなる。一方の端部においてバルブ排出口を介して連結素子により少なくとも半径方向に保持されており、他方の端部において係止手段により固定される。これにより、打ち込み装置と燃料容器との間の流体連通が確実となる。係止手段を有する連結素子は、例えば接着剤により、又は樹脂を直接燃料容器に射出して成型した連結素子により、取り外しができないように固定される。しかしながら、燃料容器の端部に取付け可能なアダプタタイプとすることもできる。
【０００７】
係止手段の制御素子を備えており、ユーザーが手の届きにくい場合にある係止手段を直接操作する必要なく、制御素子により係止連結を容易に解除できると有利である。燃料容器のバルブ排出口に対向する側の端部領域に制御素子を設置することによって、片手での簡単な操作が可能となる。すなわち、燃料容器を手でつかむことなく、片手で燃料容器の取付け及び取り外しを行うことができるようになる。
【０００８】
係止手段をキータブ（Ｆｅｄｅｒｌａｓｃｈｅ）として形成して、その基部を連結素子に連結し、基部に対向する側の端部に係止フックを形成することが構造上好適である。制御素子は、キータブの基部と係止フックとの間に設置する。
【０００９】
連結素子に、燃料容器収容部内で燃料容器が回転するのを防止する、少なくとも１つの第１の回転防止手段を備えることが好適である。この回転防止手段は、例えば燃料容器収容部からの取り外しの際に燃料容器が回転容器収容部内で回転し、これにより係止手段を破壊するおそれのある径方向せん断応力が係止手段に加わるのを防止することができる。
【００１０】
燃料容器の回転防止手段が少なくとも１つのスロット状の凹部を備えることが構造上好適である。これにより、連結素子が燃料容器の長手方向に延在するように配置される。
【００１１】
さらに、連結素子を、打ち込み装置の燃料容器収容部を密封するための、例えば蓋もしくはハウジングカバーのような密封手段として形成すると有利である。そうすれば、打ち込み装置の燃料容器収容部の開口部を、付加的なハウジングカバーすなわち付加的なカバーで覆う必要がない。
【００１２】
開口部近傍の燃料容器収容部の端部領域には、燃料容器の係止手段に対する被係止手段を設けることが好適であり、それにより、片手での簡単な操作、すなわち燃料容器を手でつかむことなく、片手で燃料容器の取付け及び取り外しを行うことができ、端部領域から安全に係止手段を取り外すことができるようになる。
【００１３】
被係止手段は、燃料容器を第１の係止位置に取り外しが可能なように固定するための第１の被係止素子として形成することが好適である。この第１の係止位置において、燃料容器収容部は開口部にて連結素子によって固定されており、打ち込み装置と燃料容器との間で燃料の連通は成立していない。
【００１４】
さらに被係止手段は、燃料容器を第２の係止位置に取り外しが可能なように固定するための第２の被係止素子として形成することが好適である。この第２の係止位置において、燃料容器収容部が開口部にて連結素子によって固定されると、燃料容器のバルブ排出口が連結素子と連結し、燃料の連通が成立する。
【００１５】
燃料容器収容部に、燃料容器収容部内で燃料容器が回転するのを防止する、少なくとも１つの第２の回転防止手段を備えることが好適である。この回転防止手段は、燃料容器が回転容器収容部内で回転し、これにより係止手段を破壊するおそれのある径方向せん断応力が係止手段に加わるのを防止することができる。これら第２の手段は、燃料収容部に設けられた第１の手段と協働して、多くの有利な効果を奏する。
【００１６】
燃料容器の回転を固定する第２の手段は、燃料容器の長手方向に延在する少なくとも１つのリッジ状の凸部を備えることが好適である。この凸部は燃料容器の連結素子の少なくとも１つのスロット状の凹部に差し込み可能である。ここで、凸部の外側の輪郭が、スロット状の凹部の内側の輪郭に対応する。
【００１７】
本発明のさらなる利点と実施例を、以下に図面を用いて詳細に説明する。
【発明を実施するための最良の形態】
【００１８】
図１〜５に、本発明に係る燃料容器２０を備えた、作動に液状又はガス状の燃料を用いる打ち込み装置１０を示す。打ち込み装置１０は、打ち込み処理を開始させることのできる始動スイッチ１７を有するグリップ１６を備えたハウジング１１を備える。打ち込み装置１０は、空気と燃料の混合物を燃焼させる燃焼室３８を含む打ち込み機構をさらに備える。本発明に係る打ち込み装置１０の燃料容器収容部１６には、本実施例ではガスボンベである、交換可能な燃料容器２０が設置されている。燃料容器２０は、燃料容器収容部１６に開口部１９から差し込み可能であり、バルブ２２のバルブ排出口２３を端部に備えており、これを介して燃料容器２０から燃料を供給することができる。燃料容器収容部１６の内部にはさらに、バルブ排出口２３と連結するように配置した例えばアダプタのような連結素子１４があり、燃料容器２０が完全に燃料容器収容部１６に差し込まれた場合は、図１及び２の状態となる。例えばガスケット等の、所定の密着手段によって、確実に差し込み式の連結素子を密着させることができる。連結素子１４は、燃料ガイド１５を介して例えばバルブ手段を含む計量装置１３と連結している。燃料ガイド１５を介して、計量装置１３はさらに燃料室１２と連結しており、燃料容器２０から、燃料ガイド１５及び計量装置１３を介して、燃料が、打ち込み装置１０の燃料室１２に供給される。
【００１９】
燃料容器収容部１６内の燃料容器２０の取り外し可能な留め具として、燃料容器２０のバルブ排出口２３に対向する側の端部すなわち端部領域２９に、係止手段２５を備える連結素子２４を配置する。連結素子２４はさらに、燃料容器収容部１６の開口部１９の係留手段すなわち留め具を形成している。係止手段２５はキータブとして形成され、基部２７により一方の端部で連結素子２４に固定され、もう一方の端部は係止フック２８となっている。係止手段２５にはさらに、手動で作動させる制御素子２６を備え、前記制御素子２６は、キータブの係止フック２８と連結素子２４を連結させる。連結素子２４を、係止手段２５及び制御装置２６とともに、樹脂の射出成形品として形成する。
【００２０】
燃料容器２０の係止手段２５と協働するため、燃料容器収容部１６の開口部１９に近い端部領域３９に、被係止手段３５として第１の被係止素子３６及び第２の被係止素子３７それぞれを係止口として設ける。係止フック２８がこれらの係止口にはまりこんで、燃料容器２０を燃料容器収容部１６内の２つの異なる係止位置に固定することができる。
【００２１】
図１及び図２は、燃料容器２０が燃料容器収容部１６の第２の係止位置に保持された状態を示す図であり、バルブ排出口２３と連結素子１４が連結、すなわちはまり合っている。係止素子２５の係止フック２８は、第２の被係止素子３７にかみ合っている。この第２の係止位置において前述したような準備が整い次第、燃料ガイド１５及び計量装置１３を介して燃料室１２に燃料を供給することができる。燃料容器収容部１６の開口部１９は、密封手段又は蓋として形成された連結素子２４によって密封されているため、燃料容器収容部１６に塵が入り込むことはない。
【００２２】
打ち込み装置１０を作動する必要がなくなった場合には、燃料容器２０を計量装置１３から取り外すことが好ましい。このとき燃料容器２０を燃料容器収容部１６から完全に取り出す必要はなく、制御素子２６を作動して、第２の係止口（又は第２の被係止素子３７）から係止フック２８を取り外し、係止フック２８が第１の係止口すなわち第１の被係止素子３６にかみ合う第１の係止位置に移動するまで、燃料容器２０を燃料容器収容部１６の中から部分的に引き出すこともできる。この第１の係止位置において、連結素子１４とバルブ排出口２３との連結は外れている（図３を参照）。第１の係止手段２５の制御素子２６の作動及び燃料容器２０の取り外しは、片手のみで行うことができる。この位置において、バルブ２２によりバルブ排出口２３は閉じられている。第１の係止位置においても、燃料容器収容部１６の開口部１９は蓋として形成された連結素子２４によって密封されているため、燃料容器収容部１６に塵が入り込むことはない。また、燃料容器２０を、打ち込み装置１０内の第１の係止位置にとどまらせた状態にすることができる。
【００２３】
図４は、制御素子２６を新たに作動して、第１の被係止素子から、すなわち第１の係止口から係止フック２８を取り外し、燃料容器２０を完全に燃料容器収容部１６から取り出した図である。この状態から、新しい燃料容器２０を燃料容器収容部１６に取り付けることができる。
【００２４】
図５に、燃料容器収容部１６内での燃料容器２０の回転を防止する第１の手段を示す。図示した例では、連結素子２４は、第１のスロット状の凹部４１及び第２のスロット状の凹部４２を備え、前記凹部は、それぞれ燃料容器２０の長手方向Ｌ１に延在し、かつそれぞれ異なる横幅（長手方向に垂直である）を有する。従って、例えば燃料容器２０の取り外し時に起こり得る、燃料容器収容部１６内での燃料容器２０の意図しない回転が回避される。幅の異なるスロット状の凹部４１、４２を形成することにより、同時に一種のキーが形成され、燃料容器２０に含まれる燃料の性質及び／又は組成の特徴を示すことができる。
【００２５】
燃料容器収容部１６内に燃料容器２０を差し込むと、第１のリッジ状の凸部４４と第２のリッジ状の凸部４５が、燃料容器収容部１６に配置されたスロット状の凹部４１、４２、すなわち第２の燃料容器２０の回転を防止するための手段へ移動する。これらリッジ状の凸部４４、４５は、それぞれ燃料容器収容部１６の長手方向Ｌ２に突出している。この場合、これら凸部の外側の輪郭と、スロット状の凹部４１、４２の内側の輪郭とがそれぞれ対応して、対応する係止輪郭を形成する。燃料容器２０の回転を防止する手段とは別に、さらにキー輪郭及び係止輪郭を画定することもでき、たとえ打ち込み装置１０に燃料容器２０が使用できても、打ち込み装置の損傷又は設置ミスの誘発する未認証の燃料の使用を防止することができる。
【００２６】
スロット状の凹部４１、４２とリッジ状の凸部４４、４５を長手方向Ｌ１、Ｌ２に配置することにより、燃料容器収容部１６内で燃料容器２０が誤って傾くことがなく、燃料容器収容部１６の正しい位置に燃料容器２０を差し込むことができる。
【図面の簡単な説明】
【００２７】
【図１】本発明による燃料容器を燃料容器収容部に配置した手持ち式打ち込み装置の長手方向の断面図である。
【図２】燃料容器が第２の係止位置にある、打ち込み装置の燃料容器収容部の断面図である。
【図３】燃料容器が第1の係止位置にある、図２に示した打ち込み装置の燃料容器収容部の断面図である。
【図４】燃料容器を外した場合の、図２に示した打ち込み装置の燃料容器収容部の断面図である。
【図５】燃料容器が第２の係止位置にある、図２に示した打ち込み装置の燃料容器収容部の他の側面図である。
【符号の説明】
【００２８】
１０  打ち込み装置
１１  ハウジング
１２  燃焼室
１３  計量装置
１４  連結素子
１５  燃料ガイド
１６  燃料容器収容部
１７  始動スイッチ
１８  グリップ
１９  開口部
２０  燃料容器
２２  バルブ
２３  バルブ排出口
２４  連結素子
２５  係止手段
２６  制御素子
２７  基部
２８  係止フック
２９  端部領域
３５  被係止手段
３６、３７  被係止素子
３９  端部領域
４１  第１のスロット状の凹部
４２  第２のスロット状の凹部
４４  第１のリッジ状の凸部
４５  第２のリッジ状の凸部
Ｌ１、Ｌ２  長手方向 
【図１】
0005296308.tif 000002
【図２】
0005296308.tif 000003
【図３】
0005296308.tif 000004
【図４】
0005296308.tif 000005
【図５】
0005296308.tif 000006